(57)【要約】【課題】  航跡の予測精度を向上させること。【解決手段】  実施形態によれば、航跡予測装置は、過去航跡を保存する過去航跡データベースと、取得部と、航跡パターン推定部と、航跡確率算出部と、表示部とを具備する。取得部は、移動体の航跡を取得する。航跡パターン推定部は、取得された航跡と、過去航跡データベースに保存された過去航跡とに基づいて、取得された航跡の航跡パターンを推定する。航跡確率算出部は、推定された航跡パターンの確率を算出する。表示部は、推定された航跡パターンと、算出された確率とを表示する。【選択図】  図２
2020042694.tif 000002
【特許請求の範囲】
【請求項１】
移動体の航跡を取得する取得部と、
過去航跡を保存する過去航跡データベースと、
前記取得された航跡と、前記過去航跡データベースに保存された過去航跡とに基づいて、前記取得された航跡の航跡パターンを推定する航跡パターン推定部と、
前記推定された航跡パターンの確率を算出する航跡確率算出部と、
前記推定された航跡パターンと、前記算出された確率とを表示する表示部とを具備する、航跡予測装置。
【請求項２】
航跡の諸元を示す付属情報を保存する付属情報データベースと、
前記取得された航跡に、前記付属情報データベースに保存された付属情報を付与する付属情報付与部とをさらに具備し、
前記航跡パターン推定部は、前記付属情報を付与された航跡の航跡パターンを推定する、請求項１に記載の航跡予測装置。
【請求項３】
航跡予測装置のプロセッサにより実行される航跡予測方法であって、  
前記プロセッサが、移動体の航跡を取得し、
前記プロセッサが、前記取得された航跡と、過去航跡を保存する過去航跡データベースに保存された過去航跡とに基づいて、前記取得された航跡の航跡パターンを推定し、
前記プロセッサが、前記推定された航跡パターンの確率を算出し、
前記プロセッサが、前記推定された航跡パターンと、前記算出された確率とを表示する、航跡予測方法。
【請求項４】
前記プロセッサが、航跡の諸元を示す付属情報を保存する付属情報データベースに保存された付属情報を、前記取得された航跡に付与し、
前記プロセッサは、前記付属情報を付与された航跡の航跡パターンを推定する、請求項３に記載の航跡予測方法。
【発明の詳細な説明】
【技術分野】
【０００１】
本発明の実施形態は、航跡予測装置および航跡予測方法に関する。
【背景技術】
【０００２】
空間を移動する移動体の航跡を予測する技術が知られている。例えば、位置情報、移動速度、および複数のカメラにより取得された画像データをもとに、移動する電波源の将来の航跡を予測するという技術が開示されている。
【先行技術文献】
【特許文献】
【０００３】
【特許文献１】特開２０１８−４４８７８号公報
【発明の概要】
【発明が解決しようとする課題】
【０００４】
カメラを用いる方式は、主に地上を移動する移動体の航跡を予測するのに適しているが、空中を移動する航空機などの航跡を予測することは難しい。予測の精度をよりいっそう高めることが求められている。  
目的は、予測精度を向上させた航跡予測装置および航跡予測方法を提供することにある。
【課題を解決するための手段】
【０００５】
実施形態によれば、航跡予測装置は、過去航跡を保存する過去航跡データベースと、取得部と、航跡パターン推定部と、航跡確率算出部と、表示部とを具備する。取得部は、移動体の航跡を取得する。航跡パターン推定部は、取得された航跡と、過去航跡データベースに保存された過去航跡とに基づいて、取得された航跡の航跡パターンを推定する。航跡確率算出部は、推定された航跡パターンの確率を算出する。表示部は、推定された航跡パターンと、算出された確率とを表示する。
【図面の簡単な説明】
【０００６】
【図１】図１は、実施形態に係わる航跡予測装置の一例を示すブロック図である。
【図２】図２は、図１に示される航跡予測装置における情報の流れの一例を示す図である。
【図３】図３は、実施形態に係る航跡予測装置の処理手順の一例を示すフローチャートである。
【図４】図４は、表示部２１０に表示される航跡パターンとその確率の一例を示す図である。
【発明を実施するための形態】
【０００７】
図１は、実施形態に係わる航跡予測装置の一例を示す機能ブロック図である。航跡予測装置２００は、ＣＰＵやＭＰＵ等のプロセッサ２５０と、ＲＯＭ（Read Only Memory）２２０およびＲＡＭ（Random Access Memory）２３０を備えるコンピュータである。航跡予測装置２００は、さらに、ハードディスクドライブ（Hard Disk Drive：ＨＤＤ）などの記憶部２４０、光学メディアドライブ２６０、表示部２１０、および、通信部２７０を備える。
【０００８】
ＲＯＭ２２０は、ＢＩＯＳ（Basic Input Output System）やＵＥＦＩ（Unified Extensible Firmware Interface）などの基本プログラム、および各種の設定データ等を記憶する。ＲＡＭ２３０は、記憶部２４０からロードされたプログラムやデータを一時的に記憶する。
【０００９】
光学メディアドライブ２６０は、ＣＤ−ＲＯＭ２８０などの記録媒体に記録されたディジタルデータを読み取る。航跡予測装置２００で実行される各種プログラムは、例えばＣＤ−ＲＯＭ２８０に記録されて頒布される。このＣＤ−ＲＯＭ２８０に格納されたプログラムは光学メディアドライブ２６０により読み取られ、記憶部２４０にインストールされる。
【００１０】
通信部２７０は、通信機能を備え、他の装置（航跡データ記憶装置など）との通信を制御する。実施形態において、例えば、地上に設置されたレーダにより航空機の航跡が取得され、その航跡データが、通信部２７０を介して航跡予測装置２００に入力されることを考える。航跡データは、時系列データとして航跡予測装置２００に入力される。
【００１１】
記憶部２４０は、プロセッサ２５０により実行されるプログラム２４０ａを記憶する。このプログラム２４０ａは、例えば通信部２７０を介してサーバからダウンロードし、記憶部２４０にインストールされることができる。
【００１２】
また、記憶部２４０は、付属情報データベース１２、航跡データベース１４、過去航跡データベース１６、および航跡パターンデータベース１８を記憶する。  
付属情報データベース１２は、航跡の諸元を示す付属情報を保存するデータベースである。  
航跡データベース１４は、航跡データを保存するデータベースである。  
過去航跡データベース１６は、過去航跡を保存するデータベースである。  
航跡パターンデータベース１８は、航跡パターンを保存するデータベースである。
【００１３】
プロセッサ２５０は、ＯＳ（Operating System）および各種のプログラムを実行する。また、プロセッサ２５０は、実施形態に係る処理機能として、付属情報付与部１３、過去航跡作成部１５、航跡パターン作成部１７、航跡パターン推定部１９、航跡パターン確率算出部２０、および、航跡予測表示部２１を備える。
【００１４】
これらの機能ブロックは、記憶部２４０に記憶されたプログラム２４０ａがＲＡＭ２３０にロードされ、当該プログラムの進行に伴ってプロセッサ２５０が計算処理を実行することで生成されるプロセスとして、理解され得る。つまりプログラム２４０ａは、航跡予測装置２００を動作させるためのプログラムであって、コンピュータである航跡予測装置２００を、付属情報付与部１３、過去航跡作成部１５、航跡パターン作成部１７、航跡パターン推定部１９、航跡パターン確率算出部２０、および、航跡予測表示部２１として動作させる。
【００１５】
付属情報付与部１３は、例えば通信部２７０を介して取得された航跡データに、付属情報を付与する。付属情報とは、航跡データから推測することの可能な付帯情報である。付属情報付与部１３は、図２に示されるように、付属情報データベース１２から取得した付属情報を航跡データに付与することで、取得された航跡データの諸元を充実させる。
【００１６】
過去航跡作成部１５は、航跡データベース１４に登録されている航跡を取得する。そして、航跡に記された時刻情報（タイムスタンプ）と現在時刻とを比較することで、当該航跡が現在の航跡であるか、過去の航跡であるかを判定する。過去の航跡であることがわかれば、過去航跡作成部１５は、図２に示されるように、取得した航跡を過去航跡として過去航跡データベース１６に登録する。
【００１７】
航跡パターン作成部１７は、過去航跡データベース１６に登録されている過去航跡を取得し、航跡パターンを作成する。作成された航跡パターンは、図２に示されるように、航跡パターンデータベース１８に登録される。
【００１８】
航跡パターン推定部１９は、図２に示されるように、航跡データベース１４から取得した航跡と、航跡パターンデータベース１８から取得した航跡パターンとに基づいて、現在、の航跡がどの航跡パターンを有するかを推定する。推定された航跡パターンと航跡データは、航跡パターン確率算出部２０へ出力される。
【００１９】
航跡パターン確率算出部２０は、航跡パターン推定部１９から与えられる複数の航跡パターンを取得し、それぞれの航跡パターンの確率（航跡パターン確率）を算出する。各航跡パターンの確率が算出されると、図２に示されるように、航跡データ、航跡パターン、および航跡パターン確率が、航跡予測表示部２１へ出力される。
【００２０】
航跡予測表示部２１は、航跡パターン確率算出部２０から与えられた航跡、航跡パターン、および航跡パターン確率を、表示部２１０に表示する。これらの情報は、デジタルマップ上に重ねて表示されても良い。
【００２１】
図３は、実施形態に係る航跡予測装置２００の処理手順の一例を示すフローチャートである。図３において、外部のレーダなどで取得された航跡が、航跡予測装置２００に入力される（ステップＳ１１）。そうすると航跡予測装置２００は、入力された航跡に付属すべき情報があるか否かを判定する（ステップＳ１２）。
【００２２】
航跡に付属する情報があると判断されれば（ステップＳ１２でＹｅｓ）、航跡予測装置２００は、付属情報データベース１２から付属情報を読み込み、この付属情報を航跡に付与する（ステップＳ１３）。その後、航跡予測装置２００は、付属情報が付与された航跡、または、付属する情報がないと判断された航跡（ステップＳ１２でＮｏ）を、航跡データベース１４に登録する（ステップＳ１４）。
【００２３】
次に、航跡予測装置２００は、航跡データベース１４に登録された航跡を航跡データベース１４から再度読み込み、過去航跡であるか否かを、例えばタイムスタンプに基づいて判定する（ステップＳ１５）。過去航跡と判断されれば（ステップＳ１５でＹｅｓ）、航跡予測装置２００は、当該航跡を過去航跡データベース１６に登録する（ステップＳ１６）。
【００２４】
次に航跡予測装置２００は、過去航跡データベース１６に登録された過去航跡を過去航跡データベース１６から再度読み込み、読み込んだ過去航跡から航跡パターンを作成する。この航跡パターンは、航跡パターンデータベース１８に登録される（ステップＳ１７）。
【００２５】
一方、ステップＳ１５で過去航跡と判断されなかった航跡（ステップＳ１５でＮｏ）は、現在の航跡であるので、その航跡パターンが次のステップで推定される。すなわち、航跡予測装置２００は、現在の航跡と、航跡パターンデータベース１８に登録された航跡パターンとを読み込み、それらを比較した結果に基づいて現在の航跡の航跡パターンを推定する（ステップＳ１８）。初期フェーズにおいては、複数の航跡パターンが推定されることもある。
【００２６】
次に航跡予測装置２００は、複数の航跡パターンごとに、それぞれの確率を算出する（ステップＳ１９）。計算された航跡、航跡パターン、およびそれらの確率は、例えば図４に示されるように表示部２１０に表示される（ステップＳ２０）。図４において、航空機１０の３通りの航跡パターンが表示され、それぞれ１０％、２０％、７０％の確率が示されている。
【００２７】
以上説明したようにこの実施形態では、時系列データとして入力される航跡データに対し、過去の航跡データを使用して作成した航跡パターンとの類似性を評価する。そして、その結果に基づいて、類似する複数の航跡パターンと、それぞれの確率を算出するようにした。また、その結果を表示部に視覚的に表示するようにした。
【００２８】
既存の技術では、そもそも、航跡予測に際して、航跡が持つ諸元を利用していない。このため、予測精度に改善の余地があった。
【００２９】
これに対し実施形態によれば、過去航跡に対する統計的な処理により、航跡の頻度数が高いものを航跡パターンとして登録することで、航跡予測の精度の向上を図ることができる。また、将来における航跡を、作業者の勘や経験に頼ることなく予測することが可能となる。
【００３０】
また、航跡パターンと航跡の類似度の判定を行うことで、複数の航跡パターンがあった場合でも、過去の情報から確率を提示することが可能となる。さらに、航跡、航跡パターン、および確率を表示部２１０にリアルタイムに更新・表示することで、最新の状況を確認することが可能となる。
【００３１】
これらのことから、実施形態によれば、予測精度を向上させた航跡予測装置および航跡予測方法を提供することが可能となる。
【００３２】
実施形態において、コンピュータに関連して用いられる「プロセッサ」という用語は、例えばＣＰＵ、ＭＰＵ、ＧＰＵ、或いは、ＡＳＩＣ（Application Specific Integrated Circuit）、ＳＰＬＤ（Simple Programmable Logic Device）、ＣＰＬＤ（Complex Programmable Logic Device）、またはＦＰＧＡ等の回路と理解され得る。
【００３３】
プロセッサは、メモリに記憶されたプログラムを読み出し実行することで、プログラムに基づく特有の機能を実現する。また、メモリに代えて、プロセッサの回路内にプログラムを直接組み込むよう構成することも可能である。このケースでは、プロセッサは回路内に組み込まれたプログラムを読み出し実行することでその機能を実現する。
【００３４】
実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３５】
１０…航空機、１２…付属情報データベース、１３…付属情報付与部、１４…航跡データベース、１５…過去航跡作成部、１６…過去航跡データベース、１７…航跡パターン作成部、１８…航跡パターンデータベース、１９…航跡パターン推定部、２０…航跡パターン確率算出部、２１…航跡予測表示部、２００…航跡予測装置、２１０…表示部、２２０…ＲＯＭ、２３０…ＲＡＭ、２４０…記憶部、２４０ａ…プログラム、２５０…プロセッサ、２６０…光学メディアドライブ、２７０…通信部。
【図１】
2020042694.tif 000003
【図２】
2020042694.tif 000004
【図３】
2020042694.tif 000005
【図４】
2020042694.tif 000006